(57)【特許請求の範囲】
【請求項１】
竪樋継手と雨水取水体とが一体に形成された雨水取出継手であって、竪樋を流下する雨水の一部を竪樋継手を介して雨水取水体のフィルター収納空間に取り込み、雨水取水体の底部に形成した下方に突出する雨水取出筒を介して取水する雨水取水装置において、雨水取水体の上部を蓋体で開閉自在に被蓋するとともに、該雨水取水体の内部から雨水取出筒の水上側開口部を栓で開閉自在に止水するとともに、栓で上記雨水取出筒の水上側開口部を止水したとき、栓の上端部がフィルター収納空間の満水時の水位よりも上方に位置するよう該栓を細長形状にしたことを特徴とする雨水取水装置。
【請求項２】
上記栓の上端部と雨水取水体内部の上端係合部とを紐で連結した請求項１記載の雨水取水装置。
【請求項３】
上記雨水取出筒及びフィルター収納空間を蓋体の直下に形成した請求項１記載の雨水取水装置。
【発明の詳細な説明】
【技術分野】
【０００１】
本願発明は竪樋同士を接続する竪樋継手に雨水取水機能を付加した雨水取水装置に係り、特に、例えば冬季等において、取水しないときに、雨水取出筒を栓で止水するようにした雨水取水装置に関するものである。
【背景技術】
【０００２】
従来の雨水利用装置において、特開２００６−２２６０８５号公報には、雨水取出筒の外部に露出した取水口をネジ蓋で止水した技術が開示されている。
【特許文献１】特開２００６−２２６０８５号公報
【発明の開示】
【発明が解決しようとする課題】
【０００３】
上記従来の雨水利用装置において、雨水取出筒は露出した外部から、ネジ蓋で止水されるから、ネジ蓋が風雨や日光等の原因による経年劣化を起こし、ネジ蓋の開閉が困難になったり、終には劣化破損することがあった。
【０００４】
また、雪国等において、厳冬下で、雨水取水装置を長期間使用しないとき、雨水取出筒が外方に突出露出しているので、雨水取出筒内に溜まっていた雨水が凍結膨張し、雨水取出筒と該雨水取出筒を外部から止水した蓋を破壊するということがあった。
【０００５】
勿論、該雨水取出筒を外部から蓋で止水するときは、雨水取出筒内部の雨水を十分に出した後に被蓋するのであるが、竪樋と連通している雨水取水体内には竪樋を流下する雨水の一部が必ず溜まり、また、例え雨が降らない場合でも雨水取水体の結露が解けて該雨水取出筒に溜まるので、この雨水取出筒の破損の問題は解決されていなかった。
【０００６】
一方、上記問題を解決するためには、雨水取出筒の出口に蓋をしなければよいのであるが、このときは、雨水取出筒から取水が垂れ流しになり、また、雨が降らないときは、外部から虫やゴミが雨水取水体内に侵入し、非衛生であるという問題があった。
【０００７】
本願は上記の問題点に鑑みてなされたものであり、その目的は、冬季等においても雨水取出筒内の雨水による凍結膨張破損を防止でき且つ衛生的な雨水取水装置を提供することにある。
【課題を解決するための手段】
【０００８】
上記課題を解決するために、本願請求項１記載の雨水取水装置は、竪樋継手と雨水取水体とが一体に形成された雨水取出継手であって、竪樋を流下する雨水の一部を竪樋継手を介して雨水取水体のフィルター収納空間に取り込み、雨水取水体の底部に形成した下方に突出する雨水取出筒を介して取水する雨水取水装置において、雨水取水体の上部を蓋体で開閉自在に被蓋するとともに、該雨水取水体の内部から雨水取出筒の水上側開口部を栓で開閉自在に止水するとともに、栓で上記雨水取出筒の水上側開口部を止水したとき、栓の上端部がフィルター収納空間の満水時の水位よりも上方に位置するよう該栓を細長形状にしたことを特徴とするものである。
【０００９】
本願請求項２記載の発明は、上記請求項１記載の雨水取水装置において、上記栓の上端部と雨水取水体内部の上端係合部とを紐で連結したことを特徴とするものである。 
本願請求項３記載の発明は、上記請求項１記載の雨水取水装置において、上記雨水取出筒及びフィルター収納空間を蓋体の直下に形成したことを特徴とするものである。
【発明の効果】
【００１０】
本願請求項１記載の雨水取水装置は、上記のとおりであり、特に、雨水取水体の内部から雨水取出筒の水上側開口部を栓で開閉自在に止水しているから、雨水取水装置内に雨水が滞留することがなく、従って、冬季に雨水取水装置で取水しない場合でも該雨水取出筒が雨水の凍結膨張によって破損することを防止できる。
【００１１】
雨水取出筒の水上側開口部を止水する栓は雨水取水体内に存在するから、該栓が風雨や日光等の原因による経年劣化を起こしにくいのである。
【００１２】
更に、雨水取出筒は栓で止水されているから、虫やゴミ等が雨水取水体内に進入しにくく、衛生的である。
【００１３】
特に、栓を細長形状にして雨水取出筒の水上側開口部を止水したとき、栓の上端部がフィルター収納空間の満水時の水位よりも上方に位置するようにしているから、再び取水を行うとき、雨水取水体の蓋体を開けると栓の上端部が直ぐ目の前に存在し、栓を外し易いのである。
【００１４】
また、栓を雨水取出筒から外すとき、例え雨水取水体のフィルター収納空間内いっぱいに雨水が溜まっていた場合でも、手を濡らさずに且つ上方に起立露出した栓の上端部を確り認知した状態で該栓を抜くことができる。
【００１５】
本願請求項２記載の雨水取水装置においては、特に、上記栓の上端部と雨水取水体内部の上端係合部とを紐で連結しているから、蓋体を開けて栓を雨水取出筒から外すとき、該紐を手繰りよせることにより簡単に栓をぬくことができる。
【００１６】
このとき、雨水取水体内に雨水が滞留しているか否かないかかわらず、手を濡らすことなく、栓を抜くことができる。
【００１７】
本願請求項３記載の雨水取水装置においては、特に、上記雨水取出筒及びフィルター収納空間を蓋体の直下に形成しているから、蓋体を開けて行うフィルターの交換や雨水取水体の栓による開閉作業が容易となる。
【発明を実施するための最良の形態】
【００１８】
以下、本願発明の雨水取水装置について図面を参照して詳細に説明する。図１は、本願発明の雨水取水装置の取付状態を模型的に示す説明図、図２は本願発明の雨水取水装置の取付部における斜視図、図３は上記の雨水取水装置の取付部における断面図である。
【００１９】
図１に示すように、竪樋４の中間部に本願の雨水取水装置Ａが接続され、その雨水取出筒５と貯水槽１１とがホース１２で連結されている。軒樋１３から集水された雨水は竪樋４を流下する途中でその一部が雨水取出筒５から取水されホース１２を介して貯水槽１１に貯留される。
【００２０】
図２に示すように、本願雨水取水装置Ａは、竪樋４、４を上下に接続する竪樋継手２と、該竪樋継手２と一体に形成された雨水取水体３とからなる雨水取出継手１が主部品である。雨水取水体３の上部は蓋体６で開閉自在に被蓋されており、雨水取水体３の底部に形成した下方に突出する雨水取出筒５が一体に形成されている。蓋体６は雨水取水体３の上部開口部に着脱自在に嵌合されている。
【００２１】
図３に示すように、竪樋継手２の上端部２１には上方の竪樋４が接着剤等で接続されその下端部２２は下方の竪樋４が接続される。竪樋継手２の下部は内筒２３と外筒２４とからなり、内筒２３と外筒２４との間の空間部は雨水貯留部２５となっている。内筒２３の頂部と同程度の位置から上方に向かって連通開口部２６が形成されている。該連通開口部２６は竪樋継手２と雨水取水体３とを連通している。
【００２２】
雨水貯留部２５の水位が連通開口部２６下方の仕切り壁２７よりも上がるとその雨水は雨水取水体３のフィルター収納空間３１に流出する。このとき雨水取出筒５は栓７で止水されているのでフィルター収納空間３１内の雨水は仕切り壁の上縁部まで上がり満水となる。従って、フィルター収納空間３１の満水時の水位８は仕切りへ壁の上縁部となる。
【００２３】
図３は、冬季等において取水をしていない場合の状態を示しており、栓７は棒状の細長形状をしており、栓７で上記雨水取出筒５の水上側開口部５１を止水したとき、栓７の上端部７１がフィルター収納空間３１の満水時の水位８よりも上方に位置している。該栓７はゴム等の軟質弾性体からなり、その上端部７１には金属キャップ７２が嵌着され、該金属キャップ７２と雨水取水体内の上部であって蓋体６の下方近傍に形成した上端係合部９との間は紐１０で連結されている。紐１０は金属製あるいはプラスチック製の鎖が使用される。
【００２４】
雨水取水体３の上端部は略全域が開口されており該開口部を蓋体６が着脱自在に被蓋している。蓋体６の直下には雨水取水体３内のフィルター収納空間３１及び雨水取出筒５の水上側開口部５１が位置している。
【００２５】
夏季等において、本願雨水取水装置で取水を再開するときは、蓋体６を取り外し、栓７の上端部７１を手を濡らすことなく把持しあるいは紐１０を引っ張って雨水取出筒５の水上側開口部５１から栓７を引き抜くのである。
【００２６】
栓７の長さを短くするときは紐１０を長くすることにより、手を濡らさずに栓を引き抜くことができるようにするのが好ましい。
【００２７】
取水するときは、栓７を抜き、フィルター収納空間３１にフィルター（図示せず）を納装し、浄化された雨水を雨水取出筒５から取水するのである。
【図面の簡単な説明】
【００２８】
【図１】本願発明の雨水取水装置の取付状態を模型的に示す説明図。
【図２】本願発明の雨水取水装置の取付部における斜視図。
【図３】本願発明の雨水取水装置の取付部における断面図。
【符号の説明】
【００２９】
Ａ      本願に係る雨水取水装置
１      雨水取出継手
２      竪樋継手
２１    竪樋継手の上端部
２２    竪樋継手の下端部
２３    内筒
２４    外筒
２５    雨水貯留部
２６    連通開口部
２７    仕切り壁
３      雨水取水体
３１    フィルター収納空間
４      竪樋
５      雨水取出筒
５１    雨水取出筒の水上側開口部
６      蓋体
７      栓
７１    栓の上端部
７２    金属キャップ
８      フィルター収納空間の満水時の水位
９      雨水取水体内の上端係合部
１０    紐
１１    貯水槽
１２    ホース
１３    軒樋
【図１】
0004893615.tif 000002
【図２】
0004893615.tif 000003
【図３】
0004893615.tif 000004